(57)【要約】【課題】狭い場所でも診療ポジションに制約が出ず、起倒した際に、患者の口腔部の移動が小さく、患者に背ずれが生じない歯科用治療椅子を提供する。【解決手段】バックレスト１００1、コンターシート１００2、レッグレスト１００3、フットレスト１００4が一体的に構成された治療椅子本体部１００と、該治療椅子本体部を回動可能に支持する基台部１３Ａ〜１６Ａと、前記治療椅子本体部を回動するアクチュエータ２０とより成る。治療椅子本体部１００の下部には、該治療椅子の前後に延長する弧状のレール部材１２Ａを、前記基台の上部には前記レール部材を支持する滑車１３Ａ，１４Ａを該レール部材１２Ａの前記弧に沿って少なくとも２個有する。アクチュエータ２０は、直動的に伸縮するピストン２１を有し、該ピストンによりレール部材１２Ａを前記滑車１３Ａ，１４Ａ上で移動させる。【選択図】図１
2012080982.tif 000002
【特許請求の範囲】
【請求項１】
バックレスト部、コンターシート部、レッグレスト部、フットレスト部が一体的に構成された治療椅子本体部と、該治療椅子本体部を回動可能に支持する基台部と、前記治療椅子本体部を回動するアクチュエータとより成り、前記治療椅子本体部の下部には、該治療椅子の前後に延長する弧状のレール部材を、前記基台の上部には前記レール部材を支持する滑車を該レール部材の前記弧に沿って少なくとも２個有し、前記アクチュエータは直動的に伸縮するピストン部材を有し、該ピストン部材により前記レール部材を前記滑車上で移動させることを特徴とする歯科用治療椅子。
【請求項２】
前記滑車はＨ型であり、前記レールは該Ｈ型滑車の溝内を移動することを特徴とする請求項１に記載の歯科用治療椅子。
【請求項３】
前記滑車は樹脂で形成されていることを特徴とする請求項１又は２に記載の歯科用治療椅子。
【請求項４】
前記アクチュエータは、電動アクチュエータであることを特徴とする請求項１乃至３のいずれかに記載の歯科用治療椅子。
【発明の詳細な説明】
【技術分野】
【０００１】
本発明は、起倒可能な歯科用治療椅子に係り、特に、起倒時における頭部の前後方向への移動を小さくして診療位置の変動に伴う術者の負担を少なくし、更には、椅子本体部を一体にした固定状態で旋回動させ、起倒に伴う患者の背ずれをなくし、更には、起倒に伴う前後方向への移動を小さくして必要スペースを狭くした歯科用治療椅子に関する。
【背景技術】
【０００２】
図５は、従来の歯科用治療椅子の一例を説明するための要部概略構成図で、歯科用治療椅子１は、バックレスト２、コンターシート３、レッグレスト４、フットレスト５、ヘッドレスト６、基台部７等から成り、周知のように、常時は、図５（Ａ）に示す起状態にあり、この状態で、患者は、フットレスト（フットステップ）５の上に乗り、その後、コンターシート３に腰掛ける。その後、術者（ドクター）は、椅子を起状態にしたままで治療を行い、或いは、バックレスト２を矢印Ａ方向にレッグレスト４，フットレスト５を矢印Ｂ方向に回転して椅子を倒状態（図４（Ｂ））にして歯科治療を行っていた。
【０００３】
上述のように、バックレスト２を起倒すると、図５（Ａ），図５（Ｂ）に示すように、患者の頭部Ｋが前後方向に移動し、それに応じて、術者も前後に移動しなければならず、特に椅子に座って治療を行う座位治療においては、術者の椅子をも移動しなければならず、歯科治療を効果的に行うことができなかった。
【０００４】
上述のごとき問題を解決するために、バックレスト２の倒動作と連動してコンターシート３を矢印Ｃ方向に前進動させ、図５（Ｃ）に示すように、バックレスト２の倒起動にかかわりなく、治療椅子上の患者の前後方向における口腔位置が変らないようにした歯科用治療椅子が提案されている（特許文献１）。図５（Ｃ）に示した歯科用治療椅子によると、術者は、治療椅子の起倒に係らず、同位置にて歯科治療を行うことができ、また、患者の頭部後方の移動スペースを必要とせず、スペースを無駄に使用することもない。しかし、今度は、その分、フットレスト５の前方に余分なスペースを設けておかなければならず、やはり、歯科治療のためのスペースを大きく設けなければならなかった。
【０００５】
更に、上述のごときバックレストを起倒させる治療椅子においては、バックレストを起倒した場合、患者の上半身の支点と椅子自体の回転支点との間に背ずれが起きてしまうため、患者としては衣服を直す必要があり、これが患者にとって不快感となっている。
【先行技術文献】
【特許文献】
【０００６】
【特許文献１】特開２００５−３４２３３３号公報
【発明の概要】
【発明が解決しようとする課題】
【０００７】
本発明は、上述のごとき実情に鑑みてなされたもので、特に、狭い場所でも診療ポジションに制約が出ず、しかも、起倒した際に、患者の口腔部の移動が小さく、患者に背ずれが生じない歯科用治療椅子を提供することを目的としてなされたものである。
【課題を解決するための手段】
【０００８】
上記課題を解決するために、請求項１の発明は、バックレスト部、コンターシート部、レッグレスト部、フットレスト部が一体的に構成された治療椅子本体部と、該治療椅子本体部を回動可能に支持する基台部と、前記治療椅子本体部を回動するアクチュエータとより成り、前記治療椅子本体部の下部には、該治療椅子の前後に延長する弧状のレール部材を、前記基台の上部には前記レール部材を支持する滑車を該レール部材の前記弧に沿って少なくとも２個有し、前記アクチュエータは直動的に伸縮するピストン部材を有し、該ピストン部材により前記レール部材を前記滑車上で移動させることを特徴としたものである。
【０００９】
請求項２の発明は、請求項１の発明において、前記滑車はＨ型であり、前記レールは該Ｈ型滑車の溝内を移動することを特徴としたものである。
【００１０】
請求項３の発明は、請求項１又は２の発明において、前記滑車は樹脂で形成されていることを特徴としたものである。
【００１１】
請求項４の発明は、請求項１乃至３のいずれかの発明において、前記アクチュエータは、電動アクチュエータであることを特徴としたものである。
【発明の効果】
【００１２】
本発明によると、治療椅子の前後方向の移動が小さく、従って、狭い場所でも診療ポジションに制約が出ず、しかも、起倒した際に、患者の口腔部の移動が小さく、患者に背ずれが生じない歯科用治療椅子を提供することができる。
【００１３】
特に、治療椅子本体部に設けられたレール部材が基台部に設けられたＨ型の滑車の溝内を移動するようにしたので、レール部材がＨ型の滑車から外れるようなことがなく、治療椅子を、安全に起倒させることができる。滑車を樹脂製としたので、騒音や振動が少ない。アクチュエータを電動アクチュエータとしたので、騒音が少なく、制御も簡単にできる等の利点がある。
【図面の簡単な説明】
【００１４】
【図１】本発明による歯科用治療椅子の一実施例を説明するための要部側面図である。
【図２】本発明による歯科用治療椅子の作動を説明するための要部構成図である。
【図３】本発明による歯科用治療椅子のレール部材と滑車の関係を説明するための図である。
【図４】本発明による歯科用治療椅子の外観を示す図である。
【図５】従来の歯科用治療椅子の一例を説明するための図である。
【発明を実施するための形態】
【００１５】
図４は、本発明による歯科用治療椅子の外観斜図で、図中、１００は治療椅子本体部、１１０は安頭台、１２０は治療椅子本体部１００を支える基台部で、本発明においては、治療椅子本体部１００は、バックレスト部１００1、コンターシート部１００2、レッグレスト部１００3、フットレスト部１００4が一体的に構成され、これらが一体的に基台１２０上で矢印Ａ方向に回動（起倒）されるようになっている。
【００１６】
図１は、本発明の一実施例を説明するための要部構成図で、図１は、図４に示した治療椅子本体部１００を中心線より少し手前のＩ−Ｉ線より見た側面図で、図１（Ａ）は、治療椅子本体部１００が起状態にある場合の側面図、図１（Ｂ）は、倒（寝）状態にある時の側面図である。而して、本発明においては、治療椅子本体１００は、全体が円Ｏの周りに一体的に回動（起倒）するものであり、起倒時におけるバックレストやレッグレストの動き（コンターシートに対するバックレストやレッグレストの回動）がなく、従って、患者に背ずれを生じることはなく、患者は気持ちよく診療を受けることができる。また、起倒時における安頭台の前後方向の移動量も小さく、術者は、治療位置をほとんど変えることなく診療を行うことができる。
【００１７】
図１は、図３における縦断線Ｉ−ＩよりＡ部側を見た側面図であるが、Ｂ部側はＡ部側に対称に構成されているので、以下、Ａ部側の部材には接尾辞Ａを付し、Ｂ部側の部材には、接尾辞Ｂを付して示す。
【００１８】
図１において、１０Ａ（１０Ｂ）は、治療椅子本体部１００の上面側の形状を構成する上部フレーム部材で、該上部フレーム部材１０Ａと、Ｂ側に対称に設けられた上部フレーム部材１０Ｂとの間に当て板１０１が張り渡され、該当て板１０１にクッション部材１０２が配設されるようになっている。
【００１９】
１１Ａ（１１Ｂ）は、前記上部フレーム１０Ａ（１０）の下方に配設され、歯科用治療椅子本体部１００の裏面側を構成する下部フレーム部材で、該下部フレーム部材１１Ａ（１１Ｂ）は、上部フレーム部材１０Ａ（１０Ｂ）の下側でかつこれら上部フレーム部材１０Ａ（１０Ｂ）より内側に配設され、両端部が一体的に連結され、治療椅子１００の全体形状を形成している。
【００２０】
上部フレーム１０Ａ（１０Ｂ）と下部フレーム１１Ａ（１１Ｂ）との幅方向の間には、治療椅子１００を起倒（回動）するためのレール部材１２Ａ（１２Ｂ）が設けられており、該レール部材１２Ａ（１２Ｂ）がアクチュエータ２０により円Ｏまわりに回動（起倒）されるようになっている。
【００２１】
基台１５Ａ、１６Ａ，（１５Ｂ、１６Ｂ）の上には、滑車部材１３Ａ、１４Ａ（１３Ｂ、１４Ｂ）が配設されており、これら滑車部材１３Ａ、１４Ａ（１３Ｂ，１４Ｂ）は、前記円Ｏの軌跡上に配設され、前記レール部材１２Ａ（１２Ｂ）は、前記円Ｏの円弧と同一の円弧をしており、これにより、レール部材１２Ａ（１２Ｂ）は、滑車１３Ａ、１４Ａ（１３Ｂ、１４Ｂ）上を摺動可能となっている。従って、アクチュエータ２０によりピストン２１を伸縮すると、治療椅子本体１００は、円Ｏのまわりに回動し、起状態（図１（Ａ）、倒（寝）状態（図１Ｂ）とすることができる。
【００２２】
図２は、前記アクチュエータ２０の詳細を示す図で、図２（Ａ）は側面図、図２（Ｂ）は斜視図で、図示のように、弧状のレール部材１２Ａと１２Ｂは、一端において、連結部材２２により連結され、該連結部材２２がアクチュエータ２０によって直進運動されるピストン２１の先端に連結され、ピストン２１を伸縮することにより、レール部材１２Ａ（１２Ｂ）は、滑車１３Ａ、１４Ａ（１３Ｂ、１４Ｂ）上を回動し、これにより、治療椅子本体部１００が円Ｏのまわりに回動する。
【００２３】
図３は、前記滑車１３Ａ（１４Ａ、１３Ｂ、１４Ｂ）とレール１２Ａ（１２Ｂ）との関係を示す図で、本発明においては、弧状のレール部材１２Ａ（１２Ｂ）をＨ型の滑車１３Ａ（１４Ａ、１３Ｂ、１４Ｂ）で支え、レール部材１２Ａが滑車１３Ａを転がすことで、治療椅子本体部１００を起倒するようにしたもので、レール部材１２Ａが移動する部分をＨ型の滑車１３Ａの溝内とすることで、レール部材が滑車から外れることなく、安全に動作する。滑車を樹脂（ＭＣナイロン）にすると、レールの端面の表面荒さが動作時に振動・騒音を起こす原因にならない。また、滑車の溝とレールの幅の差を少なくすることで、レールと滑車間の振動をなくすことができる。
【００２４】
更には、アクチュエータを直動するアクチュエータとしたので、機構を単純にすることができる。
電動のアクチュエータを採用することにより、アクチュエータの動作音が騒音にならにようにすることができる。
電動のアクチュエータを採用することにより、ショックレス機能（スロースタート、スローストップ）が電気的な制御だけでできる。
電動のアクチュエータに供給する電圧を上げるとアクチュエータの動作スピードが上がるため動作速度も電気的な制御だけでできる等の利点がある。
【符号の説明】
【００２５】
１００…治療椅子本体部、１０Ａ…上部フレーム部材、１１Ａ…下部フレーム部材、１２Ａ…弧状レール部材、１３Ａ，１４Ａ…滑車、１５Ａ，１６Ａ…基台、２０…アクチュエータ、２１…ピストン。
【図１】
2012080982.tif 000003
【図２】
2012080982.tif 000004
【図３】
2012080982.tif 000005
【図４】
2012080982.tif 000006
【図５】
2012080982.tif 000007